(57)【要約】【課題】通信部の状態が使用者にとって好適な状態となるように、当該通信部を自動的に制御可能な携帯端末装置を提供する。【解決手段】近距離無線通信を実行する通信部と、自位置情報取得部と、通信部と移動体が備える無線通信装置との間の通信リンクの接続監視部と、通信部が通信可能状態であって、接続監視部によって通信リンクの切断が検出された場合に、通信リンクの切断が検出された際の自位置である切断位置を記憶する記憶部と、通信部を通信可能状態か通信遮断状態かに制御する通信状態制御部と、当該通信リンクの切断が検出された後、自位置情報に示される自位置が、切断位置から第一判定距離以上離れた後、第一判定距離以下に設定された第二判定距離未満に近づいた場合に、復帰したと判定する復帰判定部とを備え、通信状態制御部は、復帰判定部により復帰したと判定された際に通信部が通信遮断状態であった場合には、通信部を通信可能状態とする。【選択図】図１
2014160984.tif 000002
【特許請求の範囲】
【請求項１】
移動体が備える無線通信装置との間で、近距離無線通信を実行可能な通信部を備える携帯端末装置であって、
自位置の情報である自位置情報を取得する自位置情報取得部と、
前記通信部と前記無線通信装置との間の通信リンクの接続状態を監視する接続監視部と、
前記通信部が通信可能状態であって、前記接続監視部によって前記通信リンクの切断が検出された場合に、当該通信リンクの切断が検出された際の前記自位置情報に示された位置を切断位置情報として記憶する記憶部と、
前記通信部の状態を通信可能状態と通信遮断状態とのいずれかに制御する通信状態制御部と、
前記接続監視部によって前記通信リンクの切断が検出された後、前記自位置情報に示される自位置が、前記切断位置情報に示される位置から予め定められた第一判定距離以上離れた後、前記第一判定距離以下に設定された第二判定距離未満に近づいた場合に、復帰したと判定する復帰判定部と、を備え、
前記通信状態制御部は、前記復帰判定部により復帰したと判定された際に前記通信部が通信遮断状態であった場合には、前記通信部を通信可能状態とする携帯端末装置。
【請求項２】
上記復帰判定部は、さらに、前記自位置情報に示される自位置が、前記切断位置情報に示される位置から前記第二判定距離以上離れた状態で、予め定められた時間が経過し、その後に前記第二判定距離未満に近づいた場合にも、復帰したと判定する請求項１に記載の携帯端末装置。
【請求項３】
前記復帰判定部により復帰したと判定された後、前記通信リンクが接続された場合には、前記記憶部に記憶された前記切断位置情報を削除する削除処理部を更に備える請求項１または２に記載の携帯端末装置。
【請求項４】
前記通信状態制御部は、前記接続監視部が前記通信リンクの切断を検出した際に前記通信部が通信可能状態であった場合には、前記通信部を通信遮断状態とする請求項１から３のいずれか一項に記載の携帯端末装置。
【請求項５】
前記通信部の状態を通信可能状態と通信遮断状態とで切り替えるための操作入力を受け付ける入力受付部を更に備え、
前記通信状態制御部は、前記入力受付部で受け付けた操作入力に応じて前記通信部の状態を制御する請求項１から４のいずれか一項に記載の携帯端末装置。
【請求項６】
前記無線通信装置は、前記移動体の移動が停止している状態で、前記通信リンクを切断する機能を有する請求項１から５のいずれか一項に記載の携帯端末装置。
【請求項７】
前記無線通信装置は、前記移動体としての車両に搭載され、当該車両の主電源がオフ状態となったことに連動して前記通信リンクを切断する機能を有する請求項１から６のいずれか一項に記載の携帯端末装置。
【請求項８】
移動体が備える無線通信装置との間で、近距離無線通信を実行可能な通信部を備える携帯端末装置のプログラムであって、
自位置の情報である自位置情報を取得する自位置情報取得機能と、
前記通信部と前記無線通信装置との間の通信リンクの接続状態を監視する接続監視機能と、
前記通信部が通信可能状態であって、前記接続監視機能によって前記通信リンクの切断が検出された場合に、当該通信リンクの切断が検出された際の前記自位置情報に示された位置を切断位置情報として記憶部に記憶させる機能と、
前記通信部の状態を通信可能状態と通信遮断状態とのいずれかに制御する通信状態制御機能と、
前記接続監視機能によって前記通信リンクの切断が検出された後、前記自位置情報に示される自位置が、前記切断位置情報に示される位置から予め定められた第一判定距離以上離れた後、前記第一判定距離以下に設定された第二判定距離未満に近づいた場合に、復帰したと判定する復帰判定機能と、を備え、
前記通信状態制御機能は、前記復帰判定機能により復帰したと判定された際に前記通信部が通信遮断状態であった場合には、前記通信部を通信可能状態とする処理をコンピュータに実現させる携帯端末装置用のプログラム。
【請求項９】
移動体が備える無線通信装置との間で、近距離無線通信を実行可能な通信部を備える携帯端末装置の制御方法であって、
自位置の情報である自位置情報を取得する自位置情報取得ステップと、
前記通信部と前記無線通信装置との間の通信リンクの接続状態を監視する接続監視ステップと、
前記通信部が通信可能状態であって、前記接続監視ステップによって前記通信リンクの切断が検出された場合に、当該通信リンクの切断が検出された際の前記自位置情報に示された位置を切断位置情報として記憶部に記憶させる記憶ステップと、
前記通信部の状態を通信可能状態と通信遮断状態とのいずれかに制御する通信状態制御ステップと、
前記接続監視ステップによって前記通信リンクの切断が検出された後、前記自位置情報に示される自位置が、前記切断位置情報に示される位置から予め定められた第一判定距離以上離れた後、前記第一判定距離以下に設定された第二判定距離未満に近づいた場合に、復帰したと判定する復帰判定ステップと、を備え、
前記通信状態制御ステップは、前記復帰判定ステップにより復帰したと判定された際に前記通信部が通信遮断状態であった場合には、前記通信部を通信可能状態とする携帯端末装置の制御方法。
【発明の詳細な説明】
【技術分野】
【０００１】
本発明は、移動体が備える無線通信装置との間で、近距離無線通信を実行可能な通信部を備える携帯端末装置、携帯端末装置のプログラム、及び携帯端末装置の制御方法に関する。
【背景技術】
【０００２】
車両に搭載したナビゲーション装置と、運転者や同乗者が所有する通信機能付き携帯電話機との間でデータのやり取りを行う技術がこれまでに実現されている。例えば、下記の特許文献１には、Ｂｌｕｅｔｏｏｔｈ（登録商標）通信機能を有する車両用ナビゲーション装置をＢｌｕｅｔｏｏｔｈ通信機能付き携帯電話機に無線接続することで、車両用ナビゲーション装置が備えるマイクロフォンやスピーカを用いてハンズフリー通話を行う構成が開示されている。また、下記の特許文献２には、このようなハンズフリー通話が可能な構成において、携帯端末側から出力したい音声があるときには、音声データを送信する前に車両用ナビゲーション側に通知をし、既に出力されている車両用ナビゲーション側の音声の音量を低減させてから、音声データを送信することにより、携帯端末からの音声と車両用ナビゲーション装置からの音声とが重なってドライバが聴き取りづらくなる可能性を低減させることができる構成が開示されている。また、下記の特許文献３には、ナビゲーション装置が、携帯電話等の携帯端末から、少なくとも電話番号を構成要素に持つ電話番号情報を受信し、その時点で記憶されている電話番号とその電話番号に対応する位置情報とを含む検索情報のうち、受信した電話番号と一致する電話番号を検索し、該検索された電話番号に対応する位置情報を読み出し、当該位置情報の記憶されている電話番号情報を目的地や経由地などの地点選択項目としてディスプレイに一覧表示し、ユーザーが選択した電話番号情報に対応する位置情報を、目的地や経由地などの地点位置として設定する構成が記載されている。このように、上記特許文献１から３に記載の技術は、使用者の運転操作中における利便性や、ナビゲーション装置の操作中における利便性の向上を考慮したものであり、いずれも、携帯電話機を所持する使用者が車両内におり、ナビゲーション装置と携帯電話機とが近距離通信可能な距離内に存在する場面を想定したものである。
【先行技術文献】
【特許文献】
【０００３】
【特許文献１】特開２００８−２７８１７２号公報
【特許文献２】特開２０１２−０２７０７０号公報
【特許文献３】特開２０００−２９８０３３号公報
【発明の概要】
【発明が解決しようとする課題】
【０００４】
しかし、携帯電話機は一般的に使用者が常に所持するものであることから、駐車場に車両を停めた場合等には、携帯電話機を所持する使用者が、停止した車両から近距離通信可能な距離範囲外まで離れ、その後に用事等を終えて車両に戻ってくる場面が想定される。このような場面において、当該携帯電話機を所持する使用者は、車両から近距離通信可能な距離範囲外まで離れると、消費電力の低減等を目的として、携帯電話機の近距離通信の通信部をオフ状態とする場合が多い。そして、このように、車両から離れた時に通信部をオフ状態とすると、使用者は、車両に戻って当該近距離通信を再開する際には、自ら手動で当該携帯電話機の通信部をオン状態とするための操作を行う必要がある。
【０００５】
上記特許文献１から３の技術では、このような場面における使用者の利便性の向上については全く考慮されておらず、改善の余地がある。そこで、上記課題を鑑みて、通信部の状態が使用者にとって好適な状態となるように、当該通信部を自動的に制御可能な携帯端末装置の実現が望まれる。
【課題を解決するための手段】
【０００６】
本発明に係る、移動体が備える無線通信装置との間で、近距離無線通信を実行可能な通信部を備える携帯端末装置の特徴構成は、自位置の情報である自位置情報を取得する自位置情報取得部と、前記通信部と前記無線通信装置との間の通信リンクの接続状態を監視する接続監視部と、前記通信部が通信可能状態であって、前記接続監視部によって前記通信リンクの切断が検出された場合に、当該通信リンクの切断が検出された際の前記自位置情報に示された位置を切断位置情報として記憶する記憶部と、前記通信部の状態を通信可能状態と通信遮断状態とのいずれかに制御する通信状態制御部と、前記接続監視部によって前記通信リンクの切断が検出された後、前記自位置情報に示される自位置が、前記切断位置情報に示される位置から予め定められた第一判定距離以上離れた後、前記第一判定距離以下に設定された第二判定距離未満に近づいた場合に、復帰したと判定する復帰判定部と、を備え、前記通信状態制御部は、前記復帰判定部により復帰したと判定された際に前記通信部が通信遮断状態であった場合には、前記通信部を通信可能状態とする点にある。
【０００７】
上記の特徴構成によれば、移動体が備える無線通信装置と携帯端末装置が備える通信部との間の通信リンクが切断された場合に、当該切断された際の自位置情報である切断位置を記憶し、当該切断位置から携帯端末装置の現在の自位置までの距離と、予め定められた第一判定距離及び第二判定距離とを用いて、携帯端末装置が前記切断位置から離れた位置まで移動した後に、当該切断位置付近まで戻った（復帰）ことを適切に判定することができる。そして、携帯端末装置が、前記切断位置付近まで戻ってきたと判定した際には、通信部の状態を自動的に通信可能状態とすることができる。これにより、携帯端末装置の使用者が、前記通信リンクが切断された後に、通信部の状態を通信遮断状態とした場合でも、前記切断位置付近に戻ってくると自動的に通信部の状態を通信可能状態とすることができる。その為、使用者が手動で通信部の状態を通信可能状態に切り替えるための操作を行う必要がなくなる。よって、使用者の利便性を高めることができる。
また、第二判定距離を第一判定距離よりも小さく設定した場合には、切断位置から離れたと判定する閾値よりも、切断位置の近くに復帰したと判定する閾値の方が小さく設定されることになるので、携帯端末装置が第二判定距離未満に近づいた場合に通信部の状態を通信可能状態にするという制御を行う際に、ハンチング現象が起こるのを抑制することができる。なお、本発明の構成には、第一判定距離が、第二判定距離と等しい場合も含んでいる。
以上のように、上記の特徴構成によれば、通信部の状態が使用者にとって好適な状態となるように、当該通信部を自動的に制御可能な携帯端末装置を提供することができる。
【０００８】
ここで、上記復帰判定部が、さらに、前記自位置情報に示される自位置が、前記切断位置情報に示される位置から前記第二判定距離以上離れた状態で、予め定められた時間が経過し、その後に前記第二判定距離未満に近づいた場合にも、復帰したと判定する構成とすると好適である。
【０００９】
この構成によれば、復帰判定部は、携帯端末装置の自位置情報に示される自位置が、第一判定距離以上離れたか否かに関係なく、前記切断位置から第二判定距離以上離れた状態で所定時間が経過していれば、その後に、携帯端末装置の自位置が第二判定距離未満に近づいた場合に復帰したと判定することができる。すなわち、上記構成では、第一判定距離及び第二判定距離に加えて、時間の閾値を設定することができる。これにより、携帯端末装置が第二判定距離付近に近づいた場合における通信部の制御の際に起こり得るハンチング現象を抑制しつつ、自位置が第一判定距離以上とならないような使用条件の場合等でも、適切に携帯端末装置の復帰を判定することができる。
【００１０】
また、前記復帰判定部により復帰したと判定された後、前記通信リンクが接続された場合には、前記記憶部に記憶された前記切断位置情報を削除する削除処理部を更に備える構成とすると好適である。
【００１１】
この構成によれば、既に使用し不要となった切断位置情報を記憶部から削除することができる。従って、不要な情報が記憶装置に蓄積されることを抑制し、記憶部の空き容量を確保することができる。
【００１２】
また、前記通信状態制御部が、前記接続監視部が前記通信リンクの切断を検出した際に前記通信部が通信可能状態であった場合には、前記通信部を通信遮断状態とする構成とすると好適である。
【００１３】
この構成によれば、通信リンクが切断された際に、携帯端末装置側の通信部が通信可能状態であれば、当該通信部を自動的に通信遮断状態とすることができる。これにより、当該通信部を手動で通信遮断状態に切り替えるための操作を行う必要がなくなる。よって、使用者の利便性を更に高めることができる。
【００１４】
また、本発明は、前記復帰判定部により復帰したと判定された際に、前記通信部が通信遮断状態である場合に有効な技術である。従って、本発明は、前記通信部の状態を通信可能状態と通信遮断状態とで切り替えるための操作入力を受け付ける入力受付部を更に備え、前記通信状態制御部が、前記入力受付部で受け付けた操作入力に応じて前記通信部の状態を制御する構成の携帯端末装置に特に適している。
【００１５】
この構成によれば、使用者の意思によって、携帯端末装置の通信部の状態を通信可能状態と通信遮断状態とのいずれかに自由に切り替えることができる。よって、使用者にとってより利便性の高い携帯端末装置を提供することができる。
【００１６】
また、前記無線通信装置が、前記移動体の移動が停止している状態で、前記通信リンクを切断する機能を有する構成とすると好適である。
【００１７】
この構成によれば、移動体の移動が停止している状態で、通信リンクが切断されるので、移動体の停止位置と通信リンクの切断位置とがほぼ等しい位置となる。よって、携帯端末装置が、移動体の停止位置から離れて通信部の通信状態を通信遮断状態としても、当該移動体の停止位置付近に戻ってくるだけで、自動的に通信部の通信状態を通信可能状態とすることができる。
【００１８】
また、前記無線通信装置が、前記移動体としての車両に搭載され、当該車両の主電源がオフ状態となったことに連動して前記通信リンクを切断する機能を有する構成とすると好適である。
【００１９】
この構成によれば、車両の主電源がオフ状態となったことに連動して前記通信リンクが切断されるので、車両の停止位置（主電源オフ位置）と切断位置とがほぼ等しい位置となる。よって、使用者が車両の停止位置から離れて通信部の通信状態を通信遮断状態としても、当該車両の停止位置付近に戻ってくるだけで、自動的に通信部の通信状態を通信可能状態とすることができる。
【００２０】
以上の各構成を備えた本発明に係る携帯端末装置の技術的特徴は、携帯端末装置用のプログラムや方法にも適用可能であり、そのため、本発明は、プログラムやシステムも権利の対象とすることができる。
【００２１】
その場合における、移動体が備える無線通信装置との間で、近距離無線通信を実行可能な通信部を備える携帯端末装置のプログラムの特徴構成は、自位置の情報である自位置情報を取得する自位置情報取得機能と、前記通信部と前記無線通信装置との間の通信リンクの接続状態を監視する接続監視機能と、前記通信部が通信可能状態であって、前記接続監視機能によって前記通信リンクの切断が検出された場合に、当該通信リンクの切断が検出された際の前記自位置情報に示された位置を切断位置情報として記憶部に記憶させる機能と、前記通信部の状態を通信可能状態と通信遮断状態とのいずれかに制御する通信状態制御機能と、前記接続監視機能によって前記通信リンクの切断が検出された後、前記自位置情報に示される自位置が、前記切断位置情報に示される位置から予め定められた第一判定距離以上離れた後、前記第一判定距離以下に設定された第二判定距離未満に近づいた場合に、復帰したと判定する復帰判定機能と、を備え、前記通信状態制御機能が、前記復帰判定機能により復帰したと判定された際に前記通信部が通信遮断状態であった場合には、前記通信部を通信可能状態とする処理をコンピュータに実現させる点にある。
【００２２】
また、その場合における、移動体が備える無線通信装置との間で、近距離無線通信を実行可能な通信部を備える携帯端末装置の制御方法の特徴構成は、自位置の情報である自位置情報を取得する自位置情報取得ステップと、前記通信部と前記無線通信装置との間の通信リンクの接続状態を監視する接続監視ステップと、前記通信部が通信可能状態であって、前記接続監視ステップによって前記通信リンクの切断が検出された場合に、当該通信リンクの切断が検出された際の前記自位置情報に示された位置を切断位置情報として記憶部に記憶させる記憶ステップと、前記通信部の状態を通信可能状態と通信遮断状態とのいずれかに制御する通信状態制御ステップと、前記接続監視ステップによって前記通信リンクの切断が検出された後、前記自位置情報に示される自位置が、前記切断位置情報に示される位置から予め定められた第一判定距離以上離れた後、前記第一判定距離以下に設定された第二判定距離未満に近づいた場合に、復帰したと判定する復帰判定ステップと、を備え、前記通信状態制御ステップは、前記復帰判定ステップにより復帰したと判定された際に前記通信部が通信遮断状態であった場合には、前記通信部を通信可能状態とする点にある。
【００２３】
当然ながら、この携帯端末装置のプログラム及び方法も上述した携帯端末装置に係る作用効果を得ることができ、更に、その好適な構成の例として挙げたいくつかの付加的技術を組み込むことが可能である。
【図面の簡単な説明】
【００２４】
【図１】本発明の第一の実施形態に係る通信システムの概略構成を示すブロック図である。
【図２】本発明の第一の実施形態に係る携帯端末装置の通信処理の手順を示すフローチャートである。
【図３】本発明の実施形態に係る第一判定距離及び第二判定距離と携帯電話機１と車両との位置関係を示した概要図である。
【図４】本発明の第二の実施形態に係る通信システムの概略構成を示すブロック図である。
【図５】本発明の第二の実施形態に係る携帯端末装置の通信処理の手順を示すフローチャートである。
【発明を実施するための形態】
【００２５】
１．第一の実施形態
本発明の第一の実施形態について、図面に基づいて説明する。ここでは、図１に示すように、移動体が車両であり、車両に搭載されたナビゲーション装置１００と、使用者（例えば、運転者）が所持する携帯電話機１との間で、近距離無線通信を介して音声データ等のデータの送受信を行うことが可能な通信システムを構築する場合を例として説明する。本実施形態では、ナビゲーション装置１００が備える無線通信装置１０１と、携帯電話機１が備える通信部４との間で近距離無線通信による通信リンクが確立されてデータの送受信が行われる。そして、本実施形態に係る携帯電話機１は、自位置情報取得部５、接続監視部６、通信状態制御部７、及び復帰判定部８を備え、当該通信リンクが切断された位置を記憶し、携帯電話機１が当該切断された位置から離れた場所に移動した後、再度当該切断された位置に戻ってきた際に、通信部４が通信遮断状態であれば通信可能状態とする点に特徴を有している。なお、本実施形態では、携帯端末装置として携帯電話機１を用いて説明しているが、本発明はこれに限定されるものではなく、使用者が持ち運び可能な各種の携帯端末装置に適用できる。
【００２６】
１−１．通信システムの全体構成
図１に示すように、本実施形態に係る通信システムは、車両に搭載されたナビゲーション装置１００と携帯電話機１とにより構成される。ナビゲーション装置１００及び携帯電話機１の双方は、同一規格の近距離無線通信を実行可能に構成されており、当該近距離無線通信によって互いに無線接続される。これにより、使用者は、携帯電話機１に登録されている電話番号情報を用いてナビゲーション装置１００で経路探索を実行することができたり、携帯電話機１を直接操作することなく当該携帯電話機１を介した音声通話（ハンズフリー通話）を行ったりすることができる。ここで、近距離無線通信としては、Ｂｌｕｅｔｏｏｔｈ（登録商標）通信や赤外線通信が一例として挙げられる。なお、当然ながら、近距離無線通信の規格はこれらの通信規格に限定されるものではなく、その他の各種の通信規格を採用することができる。
【００２７】
１−２．ナビゲーション装置
ナビゲーション装置１００は、本実施形態では車両に搭載された車両用ナビゲーション装置であり、自車位置表示、出発地から目的地までの経路計算、目的地までの経路案内、目的地検索等のナビゲーション機能を実行するための構成は公知であるため、ここでは詳細な説明は省略し、本発明に関する部分のみを説明する。
【００２８】
ナビゲーション装置１００は、図１に示すように、携帯電話機１の通信部４との間で、近距離無線通信を実行可能な無線通信装置１０１を備える。無線通信装置１０１は、自動若しくは使用者による手動によって、近距離無線通信による無線接続が可能な通信可能状態と当該無線接続が不可能な通信遮断状態との間で切り替えられる。本実施形態では、無線通信装置１０１は、車両の主電源がオン状態となって、ナビゲーション装置１００が起動したことに連動して、通信可能状態となる。そして、通信可能状態となった無線通信装置１０１は、予めナビゲーション装置１００に登録された携帯電話機１が近距離無線通信を実行可能な距離内に存在し、かつ、当該携帯電話機１の通信部４が通信可能状態にあれば、当該通信部４と自動的に無線接続するように構成されている。これにより、ナビゲーション装置１００と当該携帯電話機１との間で通信リンクが確立する。なお、以下では、単に通信リンクと示す場合もあれば、通信部４と無線通信装置１０１との間の通信リンクと示す場合もある。また、ナビゲーション装置１００が備える表示・入力装置（図示せず）を使用者が操作して、手動で無線通信装置１０１を通信可能状態とすることにより、通信リンクが確立される場合もある。なお、詳細は省略するが、このような表示・入力装置は、例えば、入力装置と表示装置との組み合わせ（タッチパネル等）、及びその他の操作スイッチ等を有して構成される。また、無線通信装置１０１は、車両の移動が停止している状態で、前記通信リンクを切断する機能を有する。具体的には、無線通信装置１０１は、車両が停止し、当該車両の主電源がオフ状態となったことに連動して、通信遮断状態となり、前記通信リンクを切断する。なお、表示・入力装置を使用者が操作して、無線通信装置１０１を手動で通信遮断状態とすることにより、前記通信リンクを切断する場合もある。
【００２９】
１−３．携帯電話機
携帯電話機１は、車両（移動体）が備える無線通信装置１０１との間で、近距離無線通信を実行可能な通信部４を備える携帯端末装置である。本実施形態では、携帯電話機１は、当該近距離無線通信以外に、通信網（図示せず）を介した音声通話、インターネット回線（図示せず）を介したウェブの閲覧やメールの送受信、マルチメディアプレーヤーとして音楽ファイル等の再生、カメラとして動画等の撮影を実行することが可能な多機能携帯電話機（スマートフォン）である。このような携帯電話機１の構成は公知であるため、ここでは詳細な説明は省略する。また、図１においては、携帯電話機１の構成のうち、本発明に関係する部分のみを示してある。
【００３０】
図１に示すように、携帯電話機１は、ナビゲーション装置１００との近距離無線通信を制御する通信制御部２と、記憶部３とを備える。通信制御部２は、通信部４と、自位置情報取得部５と、接続監視部６と、通信状態制御部７と、復帰判定部８と、削除処理部９と、入力受付部１０と、ＧＰＳ受信部１１とを機能部として備えている。記憶部３は、書き込みと読み込みの両方が可能な書き換え型の記憶装置であり、例えば、フラッシュメモリやハードディスクドライブ等が用いられる。また、通信制御部２の各機能部は、互いに共通の或いはそれぞれ独立のＣＰＵ等の演算処理装置を中核部材として、入力されたデータに対して種々の処理を行うための機能部がハードウェア又はソフトウェア（プログラム）或いは、その両方により実装されて構成されている。また、これらの各機能部は、デジタル転送バス等の通信線を介して互いに情報の受け渡しを行うことができるように構成されている。ここで、各機能部がソフトウェア（プログラム）により構成される場合には、当該ソフトウェアは、演算処理装置が参照可能な記憶部３や別途備えられたＲＡＭやＲＯＭ等の記憶手段に記憶される。以下、本実施形態に係る通信制御部２の各機能部の構成について詳細に説明する。
【００３１】
通信部４は、ナビゲーション装置１００が実行可能な近距離無線通信と同規格の近距離無線通信を行う機能部である。通信部４は、近距離無線通信による無線接続が可能な通信可能状態と当該無線接続が不可能な通信遮断状態との間で切り替えられる。そして、通信部４は、当該通信部４が通信可能状態で、かつ、無線通信装置１０１が通信可能状態で、ナビゲーション装置１００との距離が近距離無線通信を実行可能な距離内であれば、無線通信装置１０１と自動的に無線接続する。これにより、ナビゲーション装置１００と携帯電話機１との間で通信リンクが確立する。また、通信部４が通信遮断状態となったり、無線通信装置１０１が通信遮断状態となったり、携帯電話機１とナビゲーション装置１００（車両）とが近距離通信を実行可能な距離よりも離れた場合には、当該通信リンクは切断される。本実施形態では、通信部４の通信可能状態及び通信遮断状態の切り替えは、自動的に、若しくは、使用者の操作に基づいて手動で行われる。具体的には、通信部４は、後で詳しく説明する復帰判定部８により復帰したと判定されると、通信状態制御部７を介して通信可能状態となるように自動的に制御される。更に、本実施形態では、通信部４は、接続監視部６によって通信リンクの切断が検出された際に通信可能状態であれば、通信状態制御部７を介して、通信遮断状態となるように自動的に制御される。また、通信部４が通信可能状態である場合に、使用者が入力受付部１０に対して、通信部４の通信状態を通信遮断状態とするための操作入力を行った場合には、通信部４は、通信状態制御部７を介して通信遮断状態となるように制御される。また、通信部４が通信遮断状態である場合に、使用者が入力受付部１０に対して、通信部４の通信状態を通信可能状態とするための操作入力を行った場合には、通信部４は、通信状態制御部７を介して通信可能状態となるように制御される。すなわち、通信部４は、入力受付部１０を介して手動で制御される。
【００３２】
自位置情報取得部５は、携帯電話機１の自位置の情報である自位置情報を取得する機能部である。具体的には、自位置情報取得部５は、予め定められた間隔で定期的に自位置情報を取得するととともに、他の機能部からの指令に基づき自位置情報を取得する構成である。本実施形態では、自位置情報取得部５は、ＧＰＳ（Global Positioning System）衛星からのＧＰＳ信号を受信する機能部であるＧＰＳ受信部１１を介して、数秒毎に、座標（緯度及び経度）で表された現在の自位置情報を取得する。また、自位置情報取得部５は、接続監視部６からの指令に基づいても自位置情報を取得する。具体的には、接続監視部６から指令を受けると、当該指令を受けたタイミングで、ＧＰＳ受信部１１を介して携帯電話機１の自位置情報を取得し、当該取得した位置情報を切断位置情報２１として記憶部３に格納する。そして、自位置情報取得部５は、接続監視部６から指令を受けた後に定期的に取得する自位置情報を、逐次復帰判定部８に出力する。なお、自位置情報取得部５は、上記切断位置情報２１だけでなく、定期的に取得する自位置情報を移動履歴として記憶部３に逐次格納してもよい。なお、本実施形態では、携帯電話機１の自位置情報をＧＰＳ信号によって認識する構成であるが、本発明はこれに限定されるものではない。例えば、無線ＬＡＮのアクセスポイントなどから発信される地点位置情報を含む電波を、携帯電話機１で受信して、当該携帯電話機１の現在の位置を判定するように構成されてもよい。
【００３３】
接続監視部６は、通信部４と無線通信装置１０１との間の通信リンクの接続状態を監視する機能部である。具体的には、接続監視部６は、接続されていた通信リンクが切断されたこと、及び、当該切断されていた通信リンクが接続されたことを検出する。本実施形態では、接続監視部６は、通信リンクが切断されたことを検出すると、その旨の情報を通信状態制御部７へ伝達し、通信状態制御部７から当該通信リンクが切断された際の通信部４の状態に関する情報を取得する。そして、当該通信リンクの切断が検出された際の通信部４の状態が通信可能状態であれば、接続監視部６は、自位置情報取得部５に対して、当該通信リンクの切断が検出された際の自位置情報を取得するよう指令する。言い換えると、通信部４が通信可能状態であって、接続監視部６によって前記通信リンクの切断が検出された場合には、接続監視部６は、自位置情報取得部５に対して、当該通信リンクの切断が検出された際の自位置情報に示された位置を切断位置情報２１として取得し、記憶部３に記憶させるよう指令する。一方、当該通信リンクの切断が検出された際の通信部４の状態が通信遮断状態であれば、接続監視部６は、自位置情報取得部５に対して何ら指令を行わない。さらに、接続監視部６は、通信部４と無線通信装置１０１との間の通信リンクが切断された後に、当該通信リンクが再接続されたことを検出すると、その旨の情報を削除処理部９へ伝達する。
【００３４】
通信状態制御部７は、通信部４の状態を通信可能状態と通信遮断状態とのいずれかに制御する機能部である。また、通信状態制御部７は、通信部４の状態を監視する機能も有する。通信状態制御部７は、他の機能部から指令等を受けると、当該指令等の内容及び当該指令等を受けた際の通信部４の状態に基づいて、通信部４の状態を通信可能状態と通信遮断状態とのいずれかに制御する。本実施形態では、通信状態制御部７は、接続監視部６、入力受付部１０、及び復帰判定部８からの指令及び伝達と、当該指令及び伝達を受けた際の通信部４の状態とに基づいて、通信部４の状態を制御する。具体的には、通信状態制御部７は、通信部４と無線通信装置１０１との間の通信リンクの切断が検出された旨の伝達を接続監視部６から受けると、当該伝達を受けた時点の通信部４の状態の情報を接続監視部６に出力するとともに、通信部４の状態が通信可能状態であれば、通信部４を通信遮断状態となるように制御する。言い換えると、通信状態制御部７は、接続監視部６が前記通信リンクの切断を検出した際に通信部４が通信可能状態であった場合には、通信部４を通信遮断状態とする。また、通信状態制御部７は、前記通信リンクの切断が検出された旨の伝達を接続監視部６から受けた際の通信部４の状態が通信遮断状態であれば、入力受付部１０からの指令がない限り、通信部４の状態を通信遮断状態に維持する。
【００３５】
また、通信状態制御部７は、入力受付部１０で受け付けた操作入力に応じて通信部４の状態を制御する。具体的には、使用者が、入力受付部１０を介して通信部４の状態を通信遮断状態にする旨の操作入力を行うと、通信状態制御部７は、通信部４を通信遮断状態にする旨の指令を入力受付部１０から受け、その際の通信部４の状態が通信可能状態であれば通信遮断状態へ制御し、当該指令を受けた際の通信部４の状態が通信遮断状態であればその状態を維持するように制御する。一方、使用者が、入力受付部１０を介して通信部４の状態を通信可能状態にする旨の操作入力を行うと、通信状態制御部７は、通信部４を通信可能状態にする旨の指令を入力受付部１０から受け、その際の通信部４の状態が通信遮断状態であれば通信可能状態とし、当該指令を受けた際の通信部４の状態が通信遮断状態であればその状態を維持するように制御する。
【００３６】
さらに、通信状態制御部７は、復帰判定部８により復帰したと判定された際に通信部４が通信遮断状態であった場合には、通信部４を通信可能状態とする。具体的には、通信状態制御部７は、復帰判定部８より復帰した旨の判定結果が伝達されると、当該判定結果を取得した際の通信部４の状態が通信遮断状態であれば、通信可能状態となるように通信部４を制御する。また、通信状態制御部７は、復帰判定部８より復帰した旨の判定結果を取得した際の通信部４の状態が通信可能状態であれば、当該通信可能状態が維持されるように通信部４を制御する。
【００３７】
復帰判定部８は、携帯電話機１とナビゲーション装置１００との間の通信リンクが切断された際の携帯電話機１の自位置である切断位置Ｍ１及び携帯電話機１の現在の自位置Ｍ２に基づいて、携帯電話機１が当該切断位置Ｍ１から一定距離離れた後に、当該切断位置Ｍ１付近に戻ってきたことを判定する機能部である。具体的には、復帰判定部８は、接続監視部６によって、通信部４と無線通信装置１０１との通信リンクの切断が検出された後、図３に示すように、携帯電話機１の自位置情報に示される自位置Ｍ２が、切断位置情報２１に示される位置（切断位置Ｍ１）から予め定められた第一判定距離Ｌ１以上離れた後、前記第一判定距離Ｌ１以下に設定された第二判定距離Ｌ２未満に近づいた場合に、復帰したと判定する機能部である。そして、復帰判定部８は、当該判定処理を実行する為に、携帯電話機１の自位置Ｍ２が前記切断位置Ｍ１から第一判定距離Ｌ１以上離れたことを判定する第一距離判定部１２と、携帯電話機１の自位置Ｍ２が前記切断位置Ｍ１から第二判定距離Ｌ２未満に近づいたことを判定する第二距離判定部１３とを備える。ここで、第一判定距離Ｌ１及び第二判定距離Ｌ２の大きさは、予め出荷時に設定され、或いは、使用者等により設定される。本実施形態では、第二判定距離Ｌ２（例えば、３ｍ）は、第一判定距離Ｌ１（例えば、６ｍ）よりも小さく設定されているが、本発明はこれに限定されるものではない。本発明に係る第二判定距離Ｌ２は、第一判定距離Ｌ１以下の距離であればよいため、第二判定距離Ｌ２と第一判定距離Ｌ１とが同じであってもよい。なお、予め設定された第一判定距離Ｌ１及び第二判定距離Ｌ２は、記憶部３等の記憶媒体に保存されている。そして、第一距離判定部１２及び第二距離判定部１３は、下記の比較判定処理を行う際に、第一判定距離Ｌ１及び第二判定距離Ｌ２の始点を切断位置情報に合わせて行う。
【００３８】
本実施形態では、第一距離判定部１２は、通信リンクが切断された際の携帯電話機１の自位置である切断位置Ｍ１から携帯電話機１の現在の自位置Ｍ２までの距離Ｌ（以下、単に、自位置Ｍ２までの距離Ｌ）と、第一判定距離Ｌ１とを比較して判定処理を行う。第一距離判定部１２は、この判定処理に際して、当該切断位置Ｍ１の座標位置（緯度及び経度）と携帯電話機１の自位置Ｍ２を示す座標位置（緯度及び経度）とを結ぶ直線距離を計算し、当該計算した直線距離Ｌと第一判定距離Ｌ１とを比較する。第二距離判定部１３でも同様に判定処理を行う。また、本実施形態では、復帰判定部８には、自位置情報取得部５によって定期的に取得される自位置情報（具体的には、接続監視部６からの指令以降に取得される自位置情報）が逐次入力される。第一距離判定部１２は、自位置情報取得部５から自位置情報が入力され始めると、切断位置情報２１を記憶部３から取得する。そして、第一距離判定部１２は、記憶部３から取得した切断位置情報２１と、定期的に入力される自位置情報とに基づいて、図３に示すように、携帯電話機１の現在の自位置Ｍ２が、切断位置Ｍ１から予め定められた第一判定距離Ｌ１（例えば、６ｍ）以上離れているか否かを判定する。すなわち、第一距離判定部１２は、自位置Ｍ２までの距離Ｌが、予め定められた第一判定距離Ｌ１（例えば、６ｍ）以上であるか否かを判定する。第一距離判定部１２は、切断位置Ｍ１から自位置Ｍ２までの距離Ｌが、第一判定距離Ｌ１以上であると判定した場合には、その旨の情報を第二距離判定部１３に伝達する。そして、それ以降は、第二距離判定部１３による判定処理が行われる。一方、第一距離判定部１２は、切断位置Ｍ１から自位置Ｍ２までの距離Ｌが、予め定められた第一判定距離Ｌ１よりも小さい場合には、当該携帯電話機１の自位置Ｍ２が切断位置Ｍ１から第一判定距離Ｌ１以上離れるまで上記処理を繰り返す。
【００３９】
第二距離判定部１３は、第一距離判定部１２から、携帯電話機１の自位置Ｍ２が切断位置Ｍ１から第一判定距離Ｌ１以上離れた旨の伝達を受けると、記憶部３から切断位置情報２１を取得する。そして、第二距離判定部１３は、当該切断位置情報２１と、定期的に自位置情報取得部５から入力される自位置情報とに基づいて、自位置Ｍ２までの距離Ｌが、予め定められた第二判定距離Ｌ２（例えば、３ｍ）未満であるか否かを判定する。第二距離判定部１３は、自位置Ｍ２までの距離Ｌが、予め定められた第二判定距離Ｌ２未満であると判定した場合には、すなわち、携帯電話機１の自位置Ｍ２が切断位置Ｍ１から第二判定距離Ｌ２未満に近づいたと判定した場合には、当該判定結果を通信状態制御部７へ伝達する。一方、第二距離判定部１３は、自位置Ｍ２までの距離Ｌが、第二判定距離Ｌ２以上である場合、すなわち、携帯電話機１の自位置Ｍ２が、切断位置Ｍ１から予め定められた第二判定距離Ｌ２以上離れていると判定した場合には、当該携帯電話機１の自位置Ｍ２が第二判定距離Ｌ２未満に近づくまで上記処理を繰り返す。なお、本実施形態では、車両が停止し、車両の主電源がオフ状態となることに連動して、無線通信装置１０１が通信遮断状態となり、通信部４と無線通信装置１０１との通信リンクが切断されるので、当該切断位置Ｍ１が、車両の停止位置に相当する。よって、本実施形態における復帰判定部８は、携帯電話機１を所持する使用者が、停止している車両から一定距離離れた後に、当該停止している車両付近に戻ってきたことを実質的に判定している。
【００４０】
削除処理部９は、記憶部３に記憶されたデータの削除処理を実行する機能部である。本実施形態では、削除処理部９は、通信部４と無線通信装置１０１との間の通信リンクが切断された後に、再接続されたことを検出した旨の伝達を接続監視部６から受けると、記憶部３に格納されている切断位置情報２１を削除する。言い換えると、復帰判定部８により復帰したと判定された後、通信部４と無線通信装置１０１との間の通信リンクが接続された場合には、記憶部３に記憶された切断位置情報２１を削除する。なお、自位置情報取得部５が、定期的に取得する自位置情報を移動履歴として記憶部３に格納している場合には、削除処理部９は、当該切断位置情報以降の自位置情報であって、接続監視部６から通信リンクが再接続された旨の伝達を受けるまでの間に定期的に取得され格納された自位置情報の移動履歴を削除してもよい。
【００４１】
入力受付部１０は、通信部４の状態を通信可能状態と通信遮断状態とで切り替えるための操作入力を受け付ける機能部である。具体的には、使用者から、通信部４の状態を通信可能状態と通信遮断状態とで切り替えるための操作入力を受け付けると、入力受付部１０は、当該操作入力の内容に基づいた指令を通信状態制御部７へ行う。例えば、使用者から通信部４の状態を通信遮断状態にする旨の操作入力を受け付けると、通信部４の状態を通信遮断状態にする旨の指令を通信状態制御部７へ出力する。なお、本実施形態における入力受付部１０は、液晶表示装置等の表示装置と、タッチパネル等の入力装置と、入力受付操作部を表示装置に表示すると共にタッチパネルの入力受付領域を設定するプログラムとにより構成されている。そして、使用者は、表示装置に表示されたＢｌｕｅｔｏｏｔｈ機能や赤外線機能等の通信機能の設定画面において、各機能をＯＮ／ＯＦＦのいずれにするかを、タッチしたり、指をスライドさせたりして選択することにより、操作入力を行うことができる。
【００４２】
１−４．動作処理の手順
次に、図２を参照して、本実施形態に係る携帯電話機１において実行される、ナビゲーション装置１００と携帯電話機１との間の通信リンクが切断されてから再接続されるまでの処理手順について説明する。以下に説明する処理手順は、上記の携帯電話機１の各機能部を構成するハードウェア又はソフトウェア（プログラム）或いはその両方により実行される。上記の各機能部がプログラムにより構成される場合には、携帯電話機１が有する演算処理装置が、上記の各機能部を構成するプログラムを実行するコンピュータとして動作する。
【００４３】
接続監視部６が、ナビゲーション装置１００と携帯電話機１との間の通信リンクが切断されたことを検出すると（ステップ＃０１）、自位置情報取得部５は、当該通信リンクが切断された際の携帯電話機１の自位置情報を取得し、当該自位置情報を切断位置情報２１として記憶部３に格納する（ステップ＃０２）とともに、ＧＰＳ受信部１１から定期的に取得する携帯電話機１の自位置情報の復帰判定部８への出力を開始する。第一距離判定部１２は、自位置情報取得部５から携帯電話機１の現在の自位置情報を取得すると（ステップ＃０３）、記憶部３から切断位置情報２１を取得し、これらを用いて、当該切断位置Ｍ１から携帯電話機１の現在の自位置Ｍ２までの距離Ｌを算出する。そして、第一距離判定部１２は、当該算出した自位置Ｍ２までの距離Ｌが、予め定められた第一判定距離Ｌ１以上であるか否かを判定する（ステップ＃０４）。第一距離判定部１２が、当該自位置Ｍ２までの距離Ｌが、第一判定距離Ｌ１以上であると判定すると（ステップ＃０４：Ｙｅｓ）、第二距離判定部１３が、自位置情報取得部５から逐次復帰判定部８に入力される携帯電話機１の自位置情報のうち最新の自位置情報を現在の自位置情報として取得する（ステップ＃０５）。そして、第二距離判定部１３は、記憶部３から切断位置情報２１を取得し、ステップ＃０５で取得した携帯電話機１の現在の自位置情報と当該切断位置情報２１とを用いて、当該切断位置Ｍ１から携帯電話機１の現在の自位置Ｍ２までの距離Ｌを算出する。次に、第二距離判定部１３は、当該算出した切断位置Ｍ１から当該自位置Ｍ２までの距離Ｌが、予め定められた第二判定距離Ｌ２未満であるか否かを判定する（ステップ＃０６）。第二距離判定部１３が、当該自位置Ｍ２までの距離Ｌが、第二判定距離Ｌ２未満であると判定すると（ステップ＃０６：Ｙｅｓ）、通信状態制御部７が通信部４を通信可能状態に制御する（ステップ＃０７）。そして、接続監視部６が、通信部４と無線通信装置１０１との間の通信リンクが再接続されたことを検出すると、すなわち、ナビゲーション装置１００と携帯電話機１との間の通信リンクが再接続されたことを検出すると（ステップ＃０８：Ｙｅｓ）、削除処理部９は記憶部３に格納されている切断位置情報２１を削除する（ステップ＃０９）。また、第一距離判定部１２が、自位置Ｍ２までの距離Ｌが、第一判定距離Ｌ１未満であると判定した場合には（ステップ＃０４：Ｎｏ）、ステップ＃０３に戻り、携帯電話機１の現在の自位置情報を取得し直す。また、第二距離判定部１３が、自位置Ｍ２までの距離Ｌが、第二判定距離Ｌ２以上であると判定した場合には（ステップ＃０６：Ｎｏ）、ステップ＃０５に戻り、携帯電話機１の現在の自位置情報を取得し直す。また、通信状態制御部７が通信部４を通信可能状態に制御した後（ステップ＃０７）に、接続監視部６が、通信部４と無線通信装置１０１との間の通信リンクが再接続されたことを検出しない場合には（ステップ＃０８：Ｎｏ）、再接続が検出されるまでステップ＃０８の処理を繰り返す。
【００４４】
２．第二の実施形態
次に、本発明の第二の実施形態について、図４及び図５を参照して説明する。本実施形態に係る携帯電話機４１は、基本的に上記第一の実施形態と同様の構成をしているが、タイマー４７備えることと、復帰判定部４３が時間判定部４６をさらに備える点で、上記第一の実施形態とは異なっている。以下では、本実施形態に係る携帯電話機１の構成について、上記第一の実施形態との相違点を中心に説明する。なお、特に説明しない点については、上記第一の実施形態と同様とする。
【００４５】
本実施形態における携帯電話機４１は、図４に示すように、上記第一の実施形態の携帯電話機１の構成以外に、タイマー４７を備える。タイマー４７は、時間を計測する機能部であり、復帰判定部４３における時間判定部４６によって参照される。本実施形態では、ナビゲーション装置１００と携帯電話機４１との間の通信リンクが切断された際の携帯電話機４１の自位置である切断位置Ｍ１から、携帯電話機４１の現在の自位置Ｍ２までの距離Ｌが、第一距離判定部４４により、第一判定距離Ｌ１未満であると判定された後に、第二距離判定部４５により第二判定距離Ｌ２以上であると判定された時点から、時間の計測を開始する。また、タイマー４７は、第二距離判定部４５により、自位置Ｍ２までの距離Ｌが第二判定距離Ｌ２未満であると判定された時点、若しくは、第一距離判定部４４により、自位置Ｍ２までの距離Ｌが第一判定距離以上であると判定された時点で、時間の計測を終了する。すなわち、タイマー４７は、携帯電話機４１が、切断位置Ｍ１から第二距離以上でかつ第一距離未満のエリアに滞在する時間を計測する。
【００４６】
復帰判定部４３は、上記第一の実施形態と同様に、接続監視部６によって、通信部４と無線通信装置１０１との通信リンクの切断が検出された後、携帯電話機４１の自位置情報に示される自位置Ｍ２が、切断位置情報２１に示される位置（切断位置Ｍ１）から予め定められた第一判定距離Ｌ１以上離れた後、前記第一判定距離Ｌ１以下に設定された第二判定距離Ｌ２未満に近づいた場合に、復帰したと判定する機能部であるとともに、更に以下の機能を有する。復帰判定部４３は、携帯電話機４１の現在の自位置Ｍ２が、切断位置情報２１に示される切断位置Ｍ１から第二判定距離Ｌ２以上離れた状態で、所定の時間（所定時間Ｔ）が経過し、その後に前記第二判定距離Ｌ２未満に近づいた場合にも復帰したと判定する。すなわち、本実施形態では、復帰判定部４３は、携帯電話機４１の現在の自位置Ｍ２が、切断位置Ｍ１から第二判定距離Ｌ２以上でかつ第一判定距離Ｌ１未満離れた状態で、所定時間Ｔ（例えば、１５分）が経過し、その後に第二判定距離Ｌ２未満に近づいた場合に復帰したと判定する。そして、復帰判定部４３は、当該判定処理を実行する為に、携帯電話機４１の自位置Ｍ２が前記切断位置Ｍ１から第一判定距離Ｌ１以上離れたか否かを判定する第一距離判定部４４と、携帯電話機４１の自位置Ｍ２が前記切断位置Ｍ１から第二判定距離Ｌ２未満に近づいたか否かを判定する第二距離判定部４５と、時間判定部４６（後述）とを備える。なお、第一判定距離Ｌ１、第二判定距離Ｌ２及び所定時間Ｔは、出荷時に設定され、或いは、予め使用者等により設定され、記憶部３等の記憶媒体に保存されている。
【００４７】
本実施形態における第一距離判定部４４は、上記第一の実施形態における第一距離判定部１２とほぼ同じ構成である。しかし、上記第一の実施形態の第一距離判定部１２では、自位置Ｍ２までの距離Ｌが、第一判定距離Ｌ１以上であると判定した場合には、その旨の情報を第二距離判定部１３に伝達するが、第一判定距離Ｌ１よりも小さいと判定した場合には、第二距離判定部１３へ伝達することなく、当該携帯電話機１の自位置Ｍ２が切断位置Ｍ１から第一判定距離Ｌ１以上離れるまで当該判定処理を繰り返す構成であった（図２のステップ＃０５：Ｎｏ）。すなわち、第一判定距離Ｌ１よりも小さいと判定した場合には、第二距離判定部１３へ伝達しない構成であった。しかし、本実施形態における第一距離判定部４４は、自位置Ｍ２までの距離Ｌが、第一判定距離Ｌ１以上であるか第一判定距離Ｌ１未満であるかに関わらず、第一距離判定部４４での判定結果を第二距離判定部４５へ伝達する。
【００４８】
第二距離判定部４５は、第一距離判定部４４から判定結果を受けると、第一距離判定部４４の判定結果に応じて、実行する処理を異ならせる。上記第一の実施形態では、第二距離判定部１３は、第一距離判定部１２において自位置Ｍ２までの距離Ｌが第一判定距離Ｌ１以上となった場合にしか、第一距離判定部１２から伝達されない構成であった為、実行する処理も一つであった。よって、第二距離判定部１３が実行する処理はすべて同じであった。この点において、本実施形態の第二距離判定部４５と第二距離判定部１３とは異なる構成である。具体的には、第二距離判定部４５は、第一距離判定部４４から、自位置Ｍ２までの距離Ｌが第一判定距離Ｌ１以上であったとの判定結果が伝達された場合には、上記第一の実施形態と同じ処理を行う為に、携帯電話機４１の現在の自位置情報を新たに取得する。なお、それ以降の処理については、上記第一の実施形態と同じである為、ここでは説明を省略する。一方、第二距離判定部４５は、第一距離判定部４４から自位置Ｍ２までの距離Ｌが第一判定距離Ｌ１未満であったとの判定結果が伝達された場合には、上記第一の実施形態とは異なる処理を行う。
【００４９】
以下、当該異なる処理について説明する。第一距離判定部４４から自位置Ｍ２までの距離Ｌが第一判定距離Ｌ１未満であったとの判定結果が伝達されると、第二距離判定部４５は、第一距離判定部４４での判定処理の際に用いた携帯電話機４１の自位置情報と切断位置情報２１とを用いて、自位置Ｍ２までの距離Ｌが、予め定められた第二判定距離Ｌ２（例えば、３ｍ）未満であるか否かを判定する。第二距離判定部４５は、当該自位置Ｍ２までの距離Ｌが第二判定距離Ｌ２以上であると判定した場合、すなわち、携帯電話機４１の自位置Ｍ２が、切断位置Ｍ１から第一判定距離Ｌ１未満でかつ第二判定距離Ｌ２以上離れている場合には、後述の時間判定部４６に、第一判定距離Ｌ１未満でかつ第二判定距離Ｌ２以上離れている時間が所定時間Ｔを超えたか否かの判定処理を行わせる。そして、第二距離判定部４５は、時間判定部４６から、第一判定距離Ｌ１未満でかつ第二判定距離Ｌ２以上離れている時間が所定時間Ｔを超えた旨の情報の伝達があった場合には、以降は、上記第一の実施形態における第二距離判定部１３の処理（図２におけるステップ＃０５及びステップ＃０６）と同じ処理（図５におけるステップ＃１５及びステップ＃１６）を実行する。一方、第二距離判定部４５は、携帯電話機４１の自位置Ｍ２が、切断位置Ｍ１から第二判定距離Ｌ２未満であると判定した場合は、携帯電話機４１の自位置Ｍ２が切断位置Ｍ１から一度も第二判定距離以上離れていない場合である可能性が高い為、第一距離判定部４４に処理を戻す。
【００５０】
時間判定部４６は、切断位置Ｍ１から携帯電話機４１の現在の自位置Ｍ２までの距離Ｌが、第一判定距離Ｌ１未満でかつ第二判定距離Ｌ２以上である時間、すなわち、携帯電話機４１が、切断位置Ｍ１から第一判定距離Ｌ１未満かつ第二判定距離Ｌ２以上離れた位置に滞在する時間が、予め定められた所定時間Ｔよりも大きいか否かを判定する機能部である。本実施形態では、時間判定部４６は、第二距離判定部４５から時間判定処理を実行するよう指令を受けると、タイマー４７に、時間の計測を開始させるとともに、当該タイマー４７を参照しながら、当該タイマー４７で計測される時間と所定時間Ｔとを比較する。そして、時間判定部４６が、タイマー４７で計測される時間が所定時間Ｔを超えたと判定した場合には、第二距離判定部４５にその旨の情報を伝達する。そして、第二距離判定部４５によって、上記第一実施形態の第二距離判定部１３と同様の処理が行われる。すなわち、自位置Ｍ２までの距離Ｌが、第一判定距離Ｌ１未満で第二判定距離Ｌ２以上の状態で、所定時間Ｔを経過した場合には、自位置Ｍ２までの距離Ｌが、第一判定距離Ｌ１以上まで離れていなくても、以降の処理は、第一判定距離Ｌ１以上離れた場合と同じ処理が実行される。また、時間判定部４６が、タイマー４７で計測される時間が所定時間Ｔを超えていないと判定した場合には、第一距離判定部４４に処理を戻す。これは、携帯電話機４１の自位置Ｍ２が、切断位置Ｍ１から第一判定距離Ｌ１以上離れた位置に向かって移動している途中の段階である可能性がある為である。
【００５１】
このように、本実施形態では、切断位置Ｍ１から携帯電話機４１の自位置Ｍ２までの距離が、第一判定距離Ｌ１以上にならなくても、第二判定距離Ｌ２以上でかつ第一判定距離Ｌ１未満であり、所定時間Ｔが経過していれば、上記第一判定距離Ｌ１以上となった場合と同様に扱い、第二距離判定部４５が、自位置Ｍ２までの距離Ｌが第二判定距離Ｌ２未満であるか否かを判定する。これにより、切断位置Ｍ１から第一判定距離以上で第二判定距離未満の位置に、携帯電話機を所持する使用者が長時間滞在し、その後、第二判定距離未満の位置に戻った場合、例えば、車両を家の車庫に停め、携帯電話機を所持する使用者が、当該車庫との距離が近い家（例えば車庫からの距離が第一判定距離未満の家）に滞在した場合等であっても、車両に乗用する際には、適切に通信部４を通信可能状態とすることできる。すなわち、第二判定距離Ｌ２と第一判定距離Ｌ１との間のエリアに使用者がとどまっている場合に、通信部の状態を時間によって制御することができるため、第一判定距離Ｌ１と第二判定距離Ｌ２との差を大きく設定することが可能となる。
【００５２】
２−２．動作処理の手順
次に、図５を参照して、本実施形態に係る携帯電話機４１において実行される、ナビゲーション装置１００と携帯電話機４１との間の通信リンクが切断されてから再接続されるまでの処理手順について説明する。なお、ステップ＃１１からステップ＃１９までの動作は、上記第一の実施形態のステップ＃０１からステップ＃０９に相当する為、ここでは簡易的にしか説明しない。すなわち、本実施形態で追加された部分であるステップ＃２０及びステップ２１をメインに説明する。
【００５３】
接続監視部６が、ナビゲーション装置１００と携帯電話機４１との間の通信リンクが切断されたことを検出すると（ステップ＃１１）、自位置情報取得部５は、当該通信リンクが切断された際の携帯電話機４１の自位置情報を取得する（ステップ＃１２）。第一距離判定部４４は、自位置情報取得部５から携帯電話機４１の現在の自位置情報を取得すると（ステップ＃１３）、自位置Ｍ２までの距離Ｌが、予め定められた第一判定距離Ｌ１以上であるか否かを判定する（ステップ＃１４）。第一距離判定部４４が、当該自位置Ｍ２までの距離Ｌが、第一判定距離Ｌ１以上であると判定すると（ステップ＃１４：Ｙｅｓ）、第二距離判定部４５が、現在の携帯電話機４１の自位置情報を新たに取得する（ステップ＃１５）。そして、第二距離判定部４５は、自位置Ｍ２までの距離Ｌが、予め定められた第二判定距離Ｌ２未満であるか否かを判定する（ステップ＃１６）。第二距離判定部４５が、当該自位置Ｍ２までの距離Ｌが、第二判定距離Ｌ２未満であると判定すると（ステップ＃１６：Ｙｅｓ）、通信状態制御部７が通信部４を通信可能状態に制御する（ステップ＃１７）。そして、接続監視部６が、通信部４と無線通信装置１０１との間の通信リンクが再接続されたことを検出すると、すなわち、ナビゲーション装置１００と携帯電話機４１との間の通信リンクが再接続されたことを検出すると（ステップ＃１８：Ｙｅｓ）、削除処理部９は記憶部３に格納されている切断位置情報２１を削除する（ステップ＃１９）。また、通信状態制御部７が通信部４を通信可能状態に制御した後（ステップ＃１７）に、接続監視部６が、通信部４と無線通信装置１０１との間の通信リンクが再接続されたことを検出しない場合には（ステップ１８：Ｎｏ）、再接続が検出されるまでステップ＃１８の処理を繰り返す。ここまでの動作処理は、第一の実施形態と同じ処理である。以下、本実施形態の特徴である動作処理について説明する。
【００５４】
第一距離判定部４４が、自位置Ｍ２までの距離Ｌが第一判定距離Ｌ１未満であると判定した場合には（ステップ＃１４：Ｎｏ）、第二距離判定部４５が、当該自位置Ｍ２までの距離Ｌが第二判定距離Ｌ２未満（第二判定距離Ｌ２以上）であるかを判定する（ステップ＃２０）。第二距離判定部４５が、当該自位置Ｍ２までの距離Ｌが第二判定距離Ｌ２以上であると判定すると（ステップ＃２０：Ｎｏ）、タイマー４７が時間を計測し始める。そして、時間判定部４６が、タイマー４７で計測された時間と予め定められた所定時間Ｔとを比較し、当該タイマー４７で計測された時間が当該所定時間Ｔを超えたか否かを判定する（ステップ＃２１）。そして、時間判定部４６が、タイマー４７で計測された時間が、所定時間Ｔを超えると判定した場合には（ステップ＃２１：Ｙｅｓ）、時間判定部４６はその旨の情報を第二距離判定部４５へ伝達する。そして、自位置Ｍ２までの距離Ｌが、第一判定距離未満で第二判定距離以上の状態で、所定時間Ｔを経過した場合には、自位置Ｍ２までの距離Ｌが、第一判定距離以上まで離れた場合と同様の扱いとなる為、ステップ＃１５に戻り、第二距離判定部４５が、最新の自位置情報が取得する（ステップ＃１５）。以降は、上記で説明したようにステップ＃１６以降の処理が行われる。また、ステップ＃２０で、第二距離判定部４５が、第二判定距離Ｌ２未満であると判定すると（ステップ＃２０：Ｙｅｓ）、携帯電話機４１の自位置Ｍ２が、切断位置Ｍ１からまだ一度も第二判定距離Ｌ２以上離れていない可能性がある為、その場合は、第一距離判定部４４へ処理を戻す。すなわち、ステップ＃１３に戻って、第一距離判定部４４が現在の新たな自位置情報を取得する（ステップ＃１３）。また、ステップ＃２１で、時間判定部４６が、タイマー４７で計測された時間が所定時間Ｔを超えていないと判定する場合には（ステップ＃２１：Ｎｏ）、携帯電話機４１の自位置Ｍ２が、切断位置Ｍ１から第二判定距離Ｌ２以上は離れているが第一判定距離Ｌ１には到達していない、すなわち第一判定距離Ｌ１以上離れた位置に向かって移動している途中である可能性がある為、第一距離判定部４４へ処理を戻す。すなわち、ステップ＃１３に戻って、第一距離判定部４４が現在の新たな自位置情報を取得する（ステップ＃１３）。
【００５５】
３．その他の実施形態
最後に、本発明に係る携帯端末装置の、その他の実施形態について説明する。なお、以下のそれぞれの実施形態で開示される構成は、矛盾が生じない限り、他の実施形態で開示される構成と組み合わせて適用することが可能である。
【００５６】
（１）上記の実施形態では、通信部４が通信可能状態であり、かつ、車両の主電源がオフ状態になったことに連動して無線通信装置１０１が通信遮断状態となったことにより、携帯電話機１とナビゲーション装置１００との間での近距離通信による通信リンクが切断される例を用いて説明した。すなわち、ナビゲーション装置１００側から通信リンクが切断される例を用いて説明した。しかし、本発明の実施形態はこれに限定されるものではない。例えば、ナビゲーション装置１００と携帯電話機１とが近距離無線通信を行うことが不可能な位置まで離れることにより通信相手が見つからないとして通信リンクが切断される場合も本発明の実施形態に含まれる。例えば、停止した車両の主電源やナビゲーション装置１００がオン状態であることにより無線通信装置１０１が通信可能状態であり、かつ、通信部４が通信可能状態である場合に、携帯電話機１を所持する使用者が、当該車両との間で近距離無線通信の電波等が届かなくなるまで離れて通信リンクが切断される場合がある。このような場合でも、接続監視部６によって当該通信リンクの切断が検出された際の自位置（切断位置）と、車両が停止している位置とはほぼ同じ位置とみなせることが多いと考えられる。よって、復帰判定部８により、切断位置付近に使用者（携帯電話機１）が復帰したとの判定は、停止している車両付近に使用者が戻ってきたとの判定に相当する。よって、使用者が車両に近づいた際には、自動的に通信部４が通信可能状態となり、使用者が手動で通信部４の状態を通信可能状態に切り替える必要がなく、使用者の手間を省くことができる。
【００５７】
（２）上記の実施形態では、復帰判定部８は、切断位置Ｍ１と携帯電話機１との距離として、ＧＰＳ受信部１１を介して取得し記憶部３に格納されている切断位置Ｍ１（緯度・経度）と、ＧＰＳ受信部１１を介して取得した携帯電話機１の自位置Ｍ２（緯度・経度）とを結ぶ直線距離を算出し、当該直線距離と、予め設定された第一判定距離Ｌ１及び第二判定距離Ｌ２とを比較する構成であった。しかし、本発明はこれに限定されるものではない。例えば、図３に示すように、切断位置Ｍ１を中心とした第一判定距離Ｌ１及び第二判定距離Ｌ２を半径とする同心円のエリアを設定し、復帰判定部８が当該エリアとＧＰＳ受信部１１を介して取得する携帯電話機１の自位置Ｍ２とを比較して、携帯電話機１が切断位置Ｍ１付近に復帰したか否かを判定する構成とすることも可能である。具体的には、半径が第二判定距離内のエリアを第２エリアとし（図３における内円部）、半径が第一判定距離の円内でかつ第２エリアを除いたエリアを第１エリアとし（図３における第二エリアを覆う外円部）、切断位置Ｍ１から第１エリアよりも外側（切断位置Ｍ１と離れる側）のエリアを第３エリアとし、携帯電話機１の自位置Ｍ２がどのエリアに含まれるかに基づいて、復帰したか否かを判定する構成とすることも可能である。例えば、携帯電話機１の自位置Ｍ２が、第３エリアまで移動し、その後に第２エリア内に進入した場合には、復帰判定部８は、携帯電話機１が復帰したと判定する。
【００５８】
（３）上記の実施形態では、通信部４は、接続監視部６によって通信リンクの切断が検出された際に通信可能状態であれば、通信状態制御部７を介して、自動的に通信遮断状態となるように制御される構成であった。しかし、本発明の実施形態はこれに限定されるものではない。例えば、通信部４は、接続監視部６によって通信リンクの切断が検出された際に通信可能状態であっても、自動的に通信遮断状態とはならずに、使用者からの入力受付部１０を介した操作入力により通信遮断状態とする構成であってもよい。
【産業上の利用可能性】
【００５９】
本発明は、移動体が備える無線通信装置との間で、近距離無線通信を実行可能な通信部を備える携帯端末装置に好適に利用することができる。
【符号の説明】
【００６０】
１  携帯電話機（携帯端末装置）
３  記憶部
４  通信部
５  自位置情報取得部
６  接続監視部
７  通信状態制御部
８  復帰判定部
９  位置情報削除部
１０  入力受付部
４１  携帯電話機（携帯端末装置）
５１  携帯電話機（携帯端末装置）
１０１  無線通信装置
【図１】
2014160984.tif 000003
【図２】
2014160984.tif 000004
【図３】
2014160984.tif 000005
【図４】
2014160984.tif 000006
【図５】
2014160984.tif 000007